(57)【要約】【課題】携帯式患者モニタの連続的な監視を維持できるように、通信チャネル間の移行を行うこと。【解決手段】アダプティブ通信インタフェース３３は、第１の動作モードでは、携帯式患者モニタ装置２０がドッキングステーション１０に取り付けられたことを検出すると、そのドッキングステーション１０と携帯式患者モニタ装置２０間の排他的な第１の無線通信リンクを介して、そのドッキングステーション１０を識別する識別子を受け取り、取得された患者パラメータは、受け取った識別子によって識別されるドッキングステーション１０に関連する送信先に伝達される。携帯式患者モニタ装置２０がドッキングステーション１０に取り付けられていない場合の第２の動作モードでは、第１の通信リンクが機能していないことが検出されると、携帯式患者モニタ装置２０とネットワーク間の第２の無線通信リンクを確立し、取得された患者パラメータが、送信先に伝達される。【選択図】図１
2008519494.tif 000002
【特許請求の範囲】
【請求項１】
携帯式患者監視装置に取り付けることに適したドッキングステーションを含む複数の他の装置に接続する前記携帯式患者監視装置によって使用される通信システムにおいて、
患者から取得された信号パラメータを処理するための前記携帯式患者監視装置は、自動的に、
前記携帯式患者監視装置が前記ドッキングステーションに取り付けられている場合の第１の動作モードでは、
前記携帯式患者監視装置が特定のドッキングステーションに取り付けられたことを検出すると、前記ドッキングステーションと前記携帯式患者監視装置との間の排他的な第１の無線通信リンクを介して、そのドッキングステーションを識別する識別子を受け取り、第１の無線通信リンクを介して、取得された患者パラメータを、受け取った識別子によって識別される前記特定のドッキングステーションに関連する送信先に伝達し、
前記携帯式患者監視装置が前記ドッキングステーションに取り付けられていない場合の第２の動作モードでは、
第１の通信リンクが機能していないことが検出されると、前記携帯式患者監視装置とネットワーク間の第２の無線通信リンクを確立し、第２の無線通信リンクを介して、取得された患者パラメータを、送信先に伝達する、
アダプティブ通信インタフェースを備える通信システム。
【請求項２】
請求項１に記載されたシステムにおいて、
前記送信先は、（ａ）電子患者記録、（ｂ）患者監視システム、（ｃ）患者データリポジトリ、の少なくとも１つであるシステム。
【請求項３】
請求項１に記載されたシステムにおいて、
前記アダプティブ通信インタフェースは、人による介入なしに自動的に動作するシステム。
【請求項４】
請求項１に記載されたシステムにおいて、
前記携帯式患者監視装置が前記ドッキングステーションに取り付けられたことの検出は、（ａ）前記ドッキングステーションによって前記携帯式患者監視装置に提供される充電電流の変化があること、（ｂ）前記ドッキングステーションと前記携帯式患者監視装置との間に有効な通信リンクが存在すること、の少なくとも１つの検知によって行われるシステム。
【請求項５】
請求項１に記載されたシステムにおいて、
前記ドッキングステーションと前記携帯式患者監視装置との間の排他的な前記第１の無線通信リンクは、（ａ）光リンク、（ｂ）抑制されたＲＦリンク、の少なくとも１つを備えるシステム。
【請求項６】
請求項１に記載されたシステムにおいて、
アダプティブ通信インタフェースは、前記携帯式患者監視装置が前記ドッキングステーションに取り付けられない場合に、受信した前記識別子を提供しないシステムとの通信を確立することを阻止されるシステム。
【請求項７】
請求項１に記載されたシステムにおいて、
前記ドッキングステーションと前記携帯式患者監視装置との間の排他的な前記第１の無線通信リンクは、磁気的に結合される信号変調を備えているシステム。
【請求項８】
請求項１に記載されたシステムにおいて、
前記アダプティブ通信インタフェースは、（ａ）ＷＬＡＮ８０２．１１ｂ標準互換の通信、（ｂ）８０２．１１ａ標準互換の通信、（ｃ）８０２．１１ｇ標準互換の通信、（ｄ）Ｂｌｕｅｔｏｏｔｈ（登録商標）８０２．１５標準互換の通信、（ｅ）ＧＳＭ／ＧＰＲＳ標準互換の通信、（ｆ）ＵＷＢ標準互換の通信８０２．１５．３、および（ｇ）ＲＦＩＤセンシング、の少なくとも１つを含む無線技術を使用する通信に対応しているシステム。
【請求項９】
請求項１に記載されたシステムにおいて、
前記第１の無線通信リンクおよび第２の無線通信リンクは、異なった第１の通信モードおよび第２の通信モードで使用される同じリンクであるシステム。
【請求項１０】
請求項９に記載されたシステムにおいて、
前記第１の通信モードは、送信のための第１の電力を要し、
前記第２の通信モードは、前記第１の電力よりも実質的に高い送信のための第２の電力を要するシステム。
【請求項１１】
請求項１０に記載されたシステムにおいて、
前記同じリンクは、Ｂｌｕｅｔｏｏｔｈ（登録商標）互換通信リンクであるシステム。
【請求項１２】
請求項９に記載されたシステムにおいて、
前記同じリンクは、ＷｉＦｉ互換通信リンクであり、
前記第１の通信モードはアドホックモードを使用し、
前記第２の通信モードはステーションモードを使用するシステム。
【請求項１３】
請求項１に記載されたシステムにおいて、
前記特定のドッキングステーションに関連付けられた前記識別子は、（ａ）イーサネット（登録商標）互換ＭＡＣアドレス、（ｂ）ＩＰアドレス、（ｃ）ポート識別子、（ｄ）インターネット互換のアドレス、および（ｅ）ＬＡＮアドレス、の少なくとも１つを備えているシステム。
【請求項１４】
請求項１に記載されたシステムにおいて、
前記携帯式患者監視装置が前記ドッキングステーションに取り付けられていない場合の第２の動作モードでは、
前記携帯式患者監視装置は、前記第１の通信リンクが機能していないことが検出される前に受信した前記識別子によって識別される前記特定のドッキングステーションに関連付けられる前記送信先に前記第１の無線通信リンクを介して、要求された患者パラメータを無線通信するシステム。
【請求項１５】
携帯式患者監視装置に取り付けることに適したドッキングステーションを含む複数の他の装置に接続する前記携帯式患者監視装置によって使用される通信システムにおいて、
患者から取得された信号パラメータを処理するための前記携帯式患者監視装置は、自動的に、
前記携帯式患者監視装置が前記ドッキングステーションに取り付けられている場合の第１の動作モードでは、
前記携帯式患者監視装置が特定のドッキングステーションに取り付けられたことを検出すると、前記ドッキングステーションと前記携帯式患者監視装置との間の排他的な第１の無線通信リンクを介して、そのドッキングステーションを識別する識別子を受け取り、第１の無線通信リンクを介して、取得された患者パラメータを、受け取った識別子によって識別される前記特定のドッキングステーションに関連する第１の送信先に伝達し、
前記携帯式患者監視装置が前記ドッキングステーションに取り付けられていない場合の第２の動作モードでは、
第１の通信リンクが機能していないことが検出されると、前記携帯式患者監視装置とネットワーク間の第２の無線通信リンクを確立し、第２の無線通信リンクを介して、取得された患者パラメータを、第２の送信先に伝達する、
アダプティブ通信インタフェースを備える通信システム。
【請求項１６】
請求項１５に記載されたシステムにおいて、
前記第１の無線通信リンクは、（ａ）光リンク、（ｂ）ＲＦリンク、（ｃ）磁気的に結合されたリンク、の少なくとも１つを含む比較的短距離のリンクであるシステム。
【請求項１７】
請求項１６に記載されたシステムにおいて、
前記第１の無線通信リンクは、ＰＡＮを介してリンクされるシステム。
【請求項１８】
請求項１６に記載されたシステムにおいて、
前記第２の無線通信リンクは、前記第１の無線通信リンクに比べて比較的長距離のリンクであり、ＲＦリンクを含むシステム。
【請求項１９】
請求項１８に記載されたシステムにおいて、
前記第２の無線通信リンクは、ＬＡＮを介してリンクされるシステム。
【請求項２０】
請求項１６に記載されたシステムにおいて、
前記第１の無線通信リンクは、
（ａ）Ｂｌｕｅｔｏｏｔｈ（登録商標）互換、（ｂ）ＵＷＢ互換、の少なくとも１つであり、
前記第２の無線通信リンクは、ＷｉＦｉ互換であるシステム。
【請求項２１】
請求項１５に記載されたシステムにおいて、
前記第１の送信先および第２の送信先は、同一であり、（ａ）電子患者記録、（ｂ）患者監視システム、（ｃ）患者データリポジトリ、の少なくとも１つを含むシステム。
【請求項２２】
請求項１５に記載されたシステムにおいて、
前記第１の送信先は、患者監視システムを含み、
前記第２の送信先は、中央監視システムを含む、システム。
【請求項２３】
請求項１５に記載されたシステムにおいて、
処理された患者パラメータデータを提供するセンサを取り付けられた複数の異なる患者から、（ａ）心電計（ＥＣＧ）データ、（ｂ）血液パラメータデータ、（ｃ）換気パラメータデータ、（ｄ）注入ポンプ関連のデータ、（ｅ）血圧データ、（ｆ）脈拍数データおよび（ｇ）体温データ、の少なくとも１つを含む生理学的データからなる患者パラメータデータを受信し、処理するデータ収集プロセッサと、
処理された患者パラメータデータを表示する表示装置と、
バッテリを再充電し前記携帯式患者監視装置に電力を提供するためのパワーユニットを含む前記ドッキングステーションのパワーカプラと、を更に備えるシステム。
【請求項２４】
請求項１５に記載されたシステムにおいて、
前記特定のドッキングステーションに関連付けられた前記識別子は、
前記識別子を相当する地理的位置に関連付けているマップから、前記特定のドッキングステーションの地理的位置を決定することを可能にし、
前記アダプティブ通信インタフェースは、前記携帯式患者監視装置のデータ変換器を、双方向のデータ交換を提供するための前記ドッキングステーションの相当する変換器に接続するシステム。
【請求項２５】
請求項１５に記載されたシステムにおいて、
前記アダプティブ通信インタフェースは、第１の無線通信リンクと第２の無線通信リンクとの間を最適に切り替えるシステム。
【請求項２６】
請求項１５に記載されたシステムにおいて、
（ａ）後のドッキングステーションの前の、前記携帯式患者監視装置によって使われていた以前のドッキングステーションに関連付けられた識別子、（ｂ）前記以前のドッキングステーションに関連付けられた前記識別子を使用して得られる情報、（ｃ）ドッキング解除したタイムスタンプ、の少なくとも１つを記憶するためのメモリを更に備えるシステム。
【発明の詳細な説明】
【技術分野】
【０００１】
本発明は、病院ローカルエリアネットワーク（ＬＡＮ）に接続されうる患者監視および／または処置装置の分野に関し、より詳細には、複数の通信チャネルを介して病院ＬＡＮに接続されうる患者監視および／または処置装置に関する。本願は、２００４年１０月２９日出願の米国特許仮出願第６０／６２３，７０６号に基づく特許出願である。
【背景技術】
【０００２】
病院環境では、患者が、院内のある場所から別の場所に搬送される場合であっても、患者が、比較的短い反復間隔での継続的な監視を必要とすることが多い。バッテリで動作し、患者を中断なく監視するための、患者と共に移動可能な携帯式患者モニタが開発されている。携帯式患者モニタは、患者に取り付けられて、患者の生理学的パラメータを表す電気信号を受け取る電極を有する。これらのパラメータは、携帯式患者装置に表示されるが、病院の中央ロケーションにも供給されて、これらパラメータが、患者監視システムに表示されるか、あるいは患者診療記録または患者データリポジトリに記憶される。
【０００３】
このような病院環境では、携帯装置用のドッキングステーションが、病院全体の固定位置（病室、診察室、手術室など）に設けられる。このようなドッキングステーションは、携帯式患者モニタのバッテリの再充電を可能にするほか、ドッキングステーションから中央ロケーションへの有線リンクを介して、携帯式患者モニタが中央ロケーションに接続できるようにする。また、携帯式患者モニタは、ドッキングステーションの近くでドッキング解除されていても、ドッキングステーションと通信し続けることもできる。例えば、患者が、ドッキングステーションに取り付けられるという制限を課されずに運動できるように、診察室内で、携帯式患者モニタがドッキング解除される。携帯式患者モニタは、患者がある場所から別の場所に移されている間も、無線によって中央ロケーションとの通信を続けることができる。これを行うには、関連するアンテナを有する無線アクセスポイントが、病院全体の、患者が部屋を移されうるあらゆる場所（廊下、エレベータなど）に設置される。
【発明の開示】
【発明が解決しようとする課題】
【０００４】
このため、携帯式患者モニタは、病院の中央ロケーションとの通信を維持するためのチャネルを複数有する。通信チャネル間の移行は、連続的な監視を維持できるように、適切に処理されることが望ましい。
【課題を解決するための手段】
【０００５】
本発明の原理によれば、複数の他の装置に接続している携帯式患者監視装置によって通信システムが使用され、この他の装置には、携帯式患者監視装置に取り付けるのに適したドッキングステーションが含まれる。携帯式患者監視装置は、患者から取得された信号パラメータを処理する。通信システムは、携帯式患者監視装置がドッキングステーションに取り付けられている場合に、第１の動作モードで自動的に動作するアダプティブ通信インタフェースを有する。第１の動作モードでは、携帯式患者監視装置が特定のドッキングステーションに取り付けられたことを検出すると、携帯式患者モニタは、そのドッキングステーションと携帯式患者監視装置間の排他的な第１の無線通信リンクを介して、そのドッキングステーションを識別する識別子を受け取る。第１の無線通信リンクを介して、取得された患者パラメータは、受け取った識別子によって識別される特定のドッキングステーションに関連する送信先に伝達される。携帯式患者監視装置がドッキングステーションに取り付けられていない場合の第２の動作モードでは、第１の通信リンクが機能していないことが検出されると、携帯式患者モニタは、携帯式処理装置とネットワーク間の第２の無線通信リンクを確立する。第２の無線通信リンクを介して、取得された患者パラメータが、送信先に伝達される。
【発明を実施するための最良の形態】
【０００６】
本明細書で使用するプロセッサは、実行可能アプリケーションの制御下で、（ａ）入力情報装置から情報を受け取る、（ｂ）この情報を操作、分析、変更、変換および／または送信することによって、情報を処理する、（ｃ）この情報を出力情報装置に送信する、の少なくともいずれかを行うように動作する。プロセッサは、例えば、コントローラまたはマイクロプロセッサを使用するか、またはその能力を備える。プロセッサは、ディスプレイプロセッサまたはジェネレータと共に動作してもよい。ディスプレイプロセッサまたはジェネレータは、表示画像またはその一部を表す信号を生成する公知の素子である。プロセッサとディスプレイプロセッサは、ハードウェア、ファームウェアおよび／またはソフトウェアの任意の組合せを有する。
【０００７】
本明細書で使用する実行可能アプリケーションは、所定の機能を実施するように、プロセッサを調整するためのコードまたは機械可読命令を有し、これには、オペレーティングシステム、リモート患者監視システムまたはほかの情報処理システムのように、例えば、ユーザからのコマンドまたは入力を受けて、所定の機能を実施するものを含む。実行可能手続きは、１つ以上の特定のプロセスを実行するための、コードまたは機械可読命令のセグメント、サブルーチン、あるいはそれ以外のコードの別個のセクションまたは実行可能アプリケーションの一部分である。このようなプロセスには、入力データおよび／またはパラメータの受け取り、受け取った入力データに応じた演算の実行および／または受け取った入力パラメータに応じた関数の実行、ならびに得られた出力データおよび／またはパラメータの提供がある。
【０００８】
図１は、携帯式患者モニタ装置２０と病院の中央ロケーション５１間の個々の通信チャネルのブロック図である。図１において、病院の中央ロケーション５１は、患者データリポジトリ４０、患者診療記録５０、および患者監視システム６０を有し、これらはローカルエリアネットワーク（ＬＡＮ）５を介して相互に接続されている。また、ＬＡＮ５は、複数の患者エリアネットワーク（ＰＡＮ）７０にも接続されており、これについては以下で更に詳細に記載する。ＬＡＮ５は、アクセスポイント８０にも接続されている。
【０００９】
患者エリアネットワーク（ＰＡＮ）７０は、ネットワークを介して相互に接続されている複数の患者監視および／または処置装置を有する。通常、ＰＡＮ７０は、患者の診断、監視および処置が行われる病院の固定位置に存在しており、これには、病室、診察室、手術室、診断検査室（例えばＸ線、ＣＴスキャンなど）などがある。個々のＰＡＮ７０には、ＰＡＮ７０との間のメッセージを識別するのに使用する一意な識別子が割り当てられる。一意な識別子は、ＰＡＮ７０の地理的位置の決定にも使用することもできる。
【００１０】
図１の左上には、特定のＰＡＮ７０が更に詳細に図示されている。このＰＡＮ７０では、患者９０は、例えば、患者に取り付けられて、その患者の生理学的パラメータを得るために処理される各種信号を生成するセンサ（図示せず）を有する。このようなパラメータには、（ａ）心電計（ＥＣＧ）データ、（ｂ）血液パラメータデータ、（ｃ）換気パラメータデータ、（ｄ）注入ポンプ関連のデータ、（ｅ）血圧データ、（ｆ）脈拍数データおよび（ｇ）体温データなどがある。これらの信号は、携帯式患者モニタ装置２０に接続されている。携帯式患者モニタ装置２０は、これらの信号を処理して、患者の生理学的パラメータを生成する回路と、その生理学的パラメータを臨床医に表示するディスプレイ画面を有する。携帯式患者モニタ装置２０は、ドッキングステーション１０に物理的および電気的に接続される。ドッキングステーション１０は、患者モニタプロセッサ３０に接続されている。患者モニタプロセッサ３０は、携帯式患者モニタ装置２０が単独で備える処理能力を越える処理能力を提供することができ、ＰＡＮ７０とＬＡＮ５間に、ブリッジと呼ばれるリンクを更に有する。これにより、患者モニタプロセッサ３０は、中央ロケーション５１にあるデータにアクセスして、このデータを患者モニタプロセッサ３０に表示できる。
【００１１】
動作時に、携帯式患者モニタ装置２０からの患者の生理学的パラメータデータの送信先は、中央ロケーション５１である。また、患者の生理学的パラメータデータを中央ロケーション５１に送信しているネットワークノードを識別する一意な識別子が、ドッキングステーション１０に関連付けられていることと、ドッキングステーション１０の地理的位置がわかっていることにより、この一意な識別子から、ドッキングステーション１０の地理的位置を決定することができる。識別子を地理的位置に関連付けている地図が、中央ロケーション５１内に維持される。中央ロケーション５１は、患者の生理学的パラメータデータを患者監視システム６０に表示する。これにより、１人以上の患者の医学的状態を一箇所で監視することが可能となる。また、患者の生理学的パラメータデータは、患者診療記録５０にも記憶される。このデータは、診断または処置手順の一環として、医師または他の臨床医によってチェックされる。患者の生理学的パラメータデータは患者データリポジトリ４０にも記憶され、患者データを長期間にわたって記憶および取得できるようにしている。
【００１２】
ドッキングステーション１０は、携帯式患者モニタ装置２０がドッキングされたことを検出すると、第１の動作モードを開始する。携帯式患者モニタ装置２０は、この動作モードにおいて、以下で更に詳細に記載するように、ドッキングステーション１０を介してＬＡＮ５に、および患者モニタプロセッサ３０に接続するように構成されている。この動作モードは、携帯式患者モニタ装置２０がドッキングステーション１０からドッキング解除された場合であっても続けることができる。この状態が、図１の想像線に示されている。携帯式患者モニタ装置２０がドッキングステーション１０の比較的近くに留まっている場合、携帯式患者モニタ装置２０とドッキングステーション１０の間で無線リンクが維持される。これにより、携帯式患者モニタ装置２０は、ドッキングステーション１０を介して中央ロケーション５１と、および患者モニタプロセッサ３０との通信を続けることができる。
【００１３】
図１の左下では、無線アクセスポイント８０がＬＡＮ５に接続されている。通常、無線アクセスポイント８０は、患者が搬送される病院内の場所であるが、ドッキングステーション１０および患者モニタプロセッサ３０が設置される固定場所ではない場所（廊下、エレベータなど）に設置される。携帯式患者モニタ装置２０は、患者９０に接続されて図示されている。この場合、携帯式患者モニタ装置２０は、ドッキングステーション１０の近くにも、患者モニタプロセッサ３０の近くにもない。携帯式患者モニタ装置２０は、無線アクセスポイント８０を介してＬＡＮ５に接続できる無線リンクを有する。携帯式患者モニタ装置２０は、この状況では、第２の動作モードで動作するように構成されている。この動作モードでは、携帯式患者モニタ装置２０は、患者の生理学的パラメータデータを、ＬＡＮ５を介して中央ロケーション５１に伝達する。
【００１４】
図２は、本発明の原理による携帯式患者モニタ装置２０およびドッキングステーション１０のブロック図である。図２では、図１に示したものと同一の要素は、同じ照合符号によって示されている。図２において、電力源（図示せず）が、ドッキングステーション１０の電力入力端子（ＰＷＲ  ＩＮ）に接続されている。電力入力端子は、負荷検知回路１３と変調器／復調器（モデム）１６のそれぞれの入力端子に接続されている。モデム１６の出力端子が、パワーカプラ１５の入力端子に接続されている。双方向のイーサネット（登録商標）リンクが、ＬＡＮ５などのネットワーク接続（図示せず）に、または患者モニタプロセッサ３０を介したＬＡＮ５（これも図示せず）に接続されている。イーサネット（登録商標）リンクは、インタフェースプロセッサ２５の第１の通信端子に接続されている。インタフェースプロセッサ２５の第２の通信端子は、光リンク（光ドライバ１７および光レシーバ１９など）に接続されている。第３の通信端子は、ＰＡＮ  ＲＦリンク１０９に接続されている。第４の通信端子は、モデム１６に接続されている。第１の制御入力端子は、負荷検知回路１３の出力端子に接続されている。第２の制御入力端子は、一意な識別子の供給元１４に接続されている。無線識別（ＲＦＩＤ）タグ１１５は、ドッキングステーション１０にも存在する。ＲＦＩＤタグ１１５は、電力を必要としないパッシブ型であっても、動作用の電力を必要とするアクティブ型であってもよい。
【００１５】
携帯式患者モニタ装置２０は、パワーカプラ３９を有する。パワーカプラ３９の出力端子は、負荷検知回路５３とモデム２４のそれぞれの入力端子に接続されている。モデム２４の出力端子は、バッテリ充電器３７に接続されている。バッテリ充電器は、バッテリ４３に接続されている。データ収集ユニット５５は、患者に取り付け可能であり、患者に取り付けられて、その患者の生理学的パラメータデータを表す電気信号を生成することができる複数の電極（図示せず）に接続されている。データ収集ユニット５５の出力端子は、プロセッサ３５の入力端子に接続されている。プロセッサ３５の出力端子は、表示ユニット４５の入力端子に接続されている。プロセッサ３５の双方向の通信端子は、アダプティブ通信インタフェース３３の第１の通信端子に接続される。アダプティブ通信インタフェース３３の第２の通信端子は、ＬＡＮ  ＲＦリンク１０７に接続されている。第３の通信端子は、ＰＡＮ  ＲＦリンク１１１に接続されている。第４の通信端子は、光リンク（光ドライバ２１および光レシーバ２３など）に接続されている。第５の通信端子は、モデム２４に接続されている。第６の通信端子は、ＲＦＩＤタグ読取装置１１３に接続されている。アダプティブ通信インタフェース３３の制御入力端子は負荷検知回路５３の出力端子に接続されており、アダプティブ通信インタフェース３３の双方向の制御端子は、一意な識別子用の記憶装置３４に接続されている。
【００１６】
動作時に、携帯式患者モニタ装置２０が、ドッキングステーション１０にドッキングされる。図２に示すこの構成においては、パワーカプラ１５と３９は、ドッキングステーション１０から携帯式患者モニタ装置２０に電力を供給するために、物理的に位置合わせされる。例えば、パワーカプラ１５と３９はスプリット変圧器であり、一次巻線がパワーカプラ１５にあり、二次巻線がパワーカプラ３９にある。ドッキングが行われると、ドッキングステーション１０から携帯式患者モニタ装置２０に電力が転送されるように、一次巻線と二次巻線３９が磁気的に結合される。携帯式患者モニタ装置２０において、バッテリ充電器３７は、パワーカプラ３９から電力を受け取り、バッテリ４３を再充電して、これを完全充電に保つ。
【００１７】
ドッキングステーション１０は、電力入力端子での信号の状態を検出することによって、携帯式患者モニタ装置２０がドッキングされたことを検出する。例えば、携帯式患者モニタ装置２０がドッキングされているときは、携帯式患者モニタ装置２０がドッキングされていないときよりも、電力入力端子を流れる電流が多くなる。負荷検知回路１３は、電力入力端子の信号を監視し、携帯式患者モニタ装置２０がドッキングステーション１０にドッキングされていることを示す制御信号‘Ｄｏｃｋｅｄ’を生成する。同様に、携帯式患者モニタ装置２０の負荷検知回路５３も、携帯式患者モニタ装置２０が、ドッキングステーション１０にドッキングされていることを検出する。別法では、携帯式患者モニタ装置２０のアダプティブ通信インタフェース３３が、ドッキングステーション１０と携帯式患者モニタ装置２０の間に有効な通信リンクが存在することを検出することによって、携帯式患者モニタ装置２０がドッキングステーション１０にドッキングされていることを検出する。
【００１８】
携帯式患者モニタ装置２０がドッキングされると、ドッキングステーション１０の光リンク（光ドライバ１７と光レシーバ１９など）が、携帯式患者モニタ装置２０の光リンク（光レシーバ２３と光ドライバ２１が上記にそれぞれ対応している）と物理的に位置合わせされる。位置合わせが行われると、ドッキングステーション１０のインタフェースプロセッサ２５が、光リンクを介して、携帯式患者モニタ装置２０のアダプティブ通信インタフェース３３と通信することが可能となる。この通信リンクは光リンクであるため、別の場所から信号を受け取ることができない。つまり、このリンクは、ドッキングステーション１０と携帯式患者モニタ装置２０の間に排他的に存在する無線リンクである。
【００１９】
ドッキングステーション１０のモデム１６は、携帯式患者モニタ装置２０がドッキングステーション１０にドッキングされている場合に、インタフェースプロセッサ２５からデータを受け取り、そのデータと共に、電力入力信号の振幅および／または周波数を変調するように構成される。携帯式患者モニタ装置２０のモデム２４は、ドッキングステーション１０のモデム１６を介してインタフェースプロセッサ２５から受け取ったデータを復調し、そのデータをアダプティブ通信インタフェース３３に供給する。これに対応して、携帯式患者モニタ装置２０のモデム２４は、アダプティブ通信インタフェース３３からデータを受け取り、そのデータと共に、電力入力信号の振幅および／または周波数を変調するように構成される。ドッキングステーション１０のモデム１６は、モデム２４を介して携帯式患者モニタ装置２０のアダプティブ通信インタフェース３３から受け取ったデータを復調し、そのデータをインタフェースプロセッサ２５に供給する。この通信リンクは磁気的に結合されたリンクであるため、このリンクも、別の場所からの信号を受け取ることができない。このため、これもドッキングステーション１０と携帯式患者モニタ装置２０の間に排他的に存在する無線リンクである。
【００２０】
ドッキングステーション１０のインタフェースプロセッサ２５は、ＰＡＮ無線リンク１０９，１１１を介して、携帯式患者モニタ装置２０のアダプティブ通信インタフェース３３と通信する。このリンクは、携帯式患者モニタ装置２０がドッキングステーション１０にドッキングされると有効となり、ドッキングされていないときにも有効な状態を維持する。このリンクはＲＦリンクとして実装されており、このため、他の場所から信号を受信しやすい。しかし、このリンクの動作範囲が制限されるように、ＲＦリンクの電力が抑制される。より詳細には、図に示した実施形態では、このリンクの典型的な動作範囲は、部屋（病室、手術室、診察室など）のサイズとほぼ等しい。しかし、携帯式患者モニタ装置２０がドッキングされているときの動作範囲がわずか数インチとなるように、電力を十分低く制約するよう、このリンクの電力が制御されてもよい。このように、信号が別の場所から受信されることが起こりうるものの、その確率は低い。このため、実質上は、この無線リンクは、ドッキングステーション１０と携帯式患者モニタ装置２０の間に排他的に存在するといえる。
【００２１】
携帯式患者モニタ装置２０がドッキングステーション１０に取り付けられると、アダプティブ通信インタフェース３３は、第１の無線リンクを使用する第１の動作モードを開始する。第１の動作モードでは、携帯式患者モニタ装置２０は、患者の生理学的パラメータデータを第１の送信先に伝達する。例えば、携帯式患者モニタ装置２０は、患者の生理学的パラメータデータを、ドッキングステーション１０を介して患者モニタプロセッサ３０（図１）に送信する。患者モニタプロセッサ３０は、携帯式患者モニタ装置２０よりも大きな表示装置を有し、高い処理能力を備える。これにより、患者モニタプロセッサ３０は、患者の生理学的パラメータデータを、携帯式患者モニタ装置２０単体で可能なよりも、高度な表示が可能である。更に、患者モニタプロセッサ３０は、中央ロケーション５１と通信しており、中央ロケーション５１からＸ線画像や検査結果などのデータを取得して、これを臨床医に表示できるようにする。別法では、携帯式患者モニタ装置２０は、ドッキングステーション１０、患者モニタプロセッサ３０およびＬＡＮ５を介して、患者の生理学的パラメータデータを中央ロケーション５１に送信する。図１を再び参照すると、上記のように、中央ロケーションにおいて、患者の生理学的パラメータデータが、（ａ）電子患者記録５０、（ｂ）患者監視システム６０、および／または（ｃ）患者データリポジトリ４０に送られる。
【００２２】
携帯式患者モニタ装置２０は、ドッキングステーション１０から、イーサネット（登録商標）リンクを介したＬＡＮ５上でメッセージを送受信するために、ドッキングステーション１０に関連付けられた一意な識別子を使用する。この識別子は、（ａ）イーサネット（登録商標）互換ＭＡＣアドレス、（ｂ）ＩＰアドレス、（ｃ）ポート識別子、（ｄ）インターネット互換のアドレス、および／または（ｅ）ＬＡＮアドレスであってよい。携帯式患者モニタ装置２０から送信されるメッセージには、そのメッセージを送信したネットワークノードを識別するために、この一意な識別子が含まれる。携帯式患者モニタ装置２０に関連付けられた一意な識別子は、携帯式患者モニタ装置２０のドッキング先のドッキングステーション１０に由来する。
【００２３】
携帯式患者モニタ装置２０に割り当てられる一意な識別子が、携帯式患者モニタ装置２０のドッキング先のドッキングステーション１０から由来するものであることを保証するために、このデータの送信に使用される通信チャネルは、ドッキングステーション１０と携帯式患者モニタ装置２０の間で排他的である。一意な識別子は、上に記載した３種類の無線リンク、すなわち、（ａ）光リンク１７，１９，２１，２３、（ｂ）磁気リンク１５，１６，２４，３９、または（ｃ）電力が抑制されたＰＡＮ  ＲＦリンク１０９，１１１のうちの１つを使用して、ドッキングステーション１０から携帯式患者モニタ装置２０に伝達される。より詳細には、図に示した実施形態では、ドッキングステーション１０のインタフェースプロセッサ２５は、識別子の供給元１４から一意な識別子を取得する。次に、インタフェースプロセッサ２５は、上記の通信リンクのうちの１つを確立して、識別子を表すデータを、携帯式患者モニタ装置２０のアダプティブ通信インタフェース３３に送信する。アダプティブ通信インタフェース３３は、識別子を表すデータを受け取り、これを識別子ストア３４に記憶する。
【００２４】
別法では、照会が行われると、ドッキングステーション１０のＲＦＩＤタグ１１５が、ドッキングステーション１０に関連付けられた一意な識別子を表すリターンデータ内に符号化される。アダプティブ通信インタフェース３３は、ドッキングステーション１０のＲＦＩＤタグ１１５を照会するために、ＲＦＩＤタグ読取装置１１３を動作させ、一意の識別子を取得する。ドッキングステーション１０のＲＦＩＤタグ１１５は、照会がされると、一意な識別子を表すデータを示す信号を、ＲＦＩＤタグ読取装置１１３に返す。アダプティブ通信インタフェース３３は、ＲＦＩＤタグ読取装置１１３からこの信号を受け取り、一意な識別子を表すデータを識別子ストア３４に記憶する。
【００２５】
識別子ストア３４にほかの情報が記憶されてもよいことを、当業者は理解する。例えば、（ａ）携帯式患者モニタ装置２０が、現在のドッキングステーション１０の前にドッキングしていた以前のドッキングステーション１０に関連付けられた識別子、（ｂ）携帯式患者モニタ装置２０がドッキングステーション１０にドッキングし、そのドッキングステーション１０からドッキング解除した時間を表す情報（例えばタイムスタンプ）、および／または（ｃ）上記の以前のドッキングステーションに関連付けられた識別子を使用して得られるほかの情報が、識別子ストア３４に記憶されてもよい。
【００２６】
イーサネット（登録商標）リンクを介して患者モニタプロセッサ３０（図１）または中央ロケーション５１と、その後に行われる通信において、アダプティブ通信インタフェース３３はこの一意な識別子を使用する。より詳細には、図に示した実施形態では、携帯式患者モニタ装置２０が一意な識別子を受け取ると、携帯式患者モニタ装置２０は、データ収集ユニット５５から取得した患者パラメータを、第１の無線通信リンクを介して第１の送信先（例えば、一意な識別子によって識別される特定のドッキングステーションに関連する患者モニタプロセッサ３０および／または中央ロケーション５１）に伝達する。より詳細には、図に示した実施形態では、アダプティブ通信インタフェース３３は、（ａ）ＷＬＡＮ８０２．１１ｂ標準互換の通信、（ｂ）８０２．１１ａ標準互換の通信、（ｃ）８０２．１１ｇ標準互換の通信、（ｄ）Ｂｌｕｅｔｏｏｔｈ（登録商標）８０２．１５標準互換の通信、（ｅ）ＧＳＭ／ＧＰＲＳ標準互換の通信、（ｆ）ＵＷＢ標準互換の通信８０２．１５．３、および（ｇ）ＲＦＩＤセンシングの少なくとも１つを含む無線技術を使用して、ドッキングステーション１０におけるイーサネット（登録商標）リンクを介した通信に対応している。（８０２．１１標準互換の通信リンクは、ＷｉＦｉ通信リンクと呼ばれることもある。）
【００２７】
図１の左下の部分を再び参照すると、患者９０は、ＰＡＮ７０の外部で、ドッキングしていない携帯式患者モニタ装置２０によっても監視される。携帯式患者モニタ装置２０がドッキングステーション１０に取り付けられないか、またはこれと通信していない場合、携帯式患者モニタ装置２０は第２の動作モードで動作する。この動作モードでは、携帯式患者モニタ装置２０は、ネットワークＬＡＮ５と第２の無線リンクを確立する。この動作モードは、上記の第１の動作モードが動作していないことが検出されると確立される。この動作モードでは、携帯式患者モニタ装置２０は、患者の生理学的パラメータデータを、第２の無線リンクを介して第２の送信先に通信する。より詳細には、図に示した実施形態では、第２の送信先は中央ロケーション５１であり、データが、患者の記録５０、患者監視システム６０および／または患者データリポジトリ４０に供給される。この第２の送信先は、第１の送信先と同じであっても、異なってもいてもよい。
【００２８】
図２を再び参照すると、アダプティブ通信インタフェース３３は、確立済みの通信リンクの状態を監視する回路を有する。詳しくは、アダプティブ通信インタフェース３３は、通信リンクが機能しなくなった時点を検出する。例えば、リンク（光リンク２１，２３、ＰＡＮ  ＲＦリンク１１１またはモデム２４など）からの状態信号が、リンクが機能しなくなったことを示す。第１の通信リンクが機能していないことが検出されると、アダプティブ通信インタフェース３３は、アクセスポイント８０を介してＬＡＮ５への接続を試みるよう、ＬＡＮ  ＲＦリンク１０７を調整する。このようにして、携帯式患者モニタ装置２０が、ドッキングステーション１０からドッキング解除されており、ＰＡＮ７０の近くから離れた場合であっても、患者の生理学的パラメータデータが、携帯式患者モニタ装置２０から中央ロケーション５１に継続的に供給される。ＬＡＮ  ＲＦリンク１０７はＰＡＮ  ＲＦリンク１１１よりも比較的範囲が広いことを当業者は理解する。
【００２９】
また、携帯式患者モニタ装置２０は、患者が診断検査室から病室に戻ったときに、携帯式患者モニタ装置２０が離脱されていたＰＡＮ７０に復帰することも可能である。次に、携帯式患者モニタ装置２０が、ドッキングステーション１０に再ドッキングされる。この場合、上記の無線リンクを使用して、通信が再確立される。（ａ）携帯式患者モニタ装置２０がドッキングステーション１０にドッキングされるときに使用される通信リンク、（ｂ）携帯式患者モニタ装置２０がドッキング解除されているが、ＰＡＮ７０の範囲内に存在する場合に使用される通信リンク、および（ｃ）携帯式患者モニタ装置２０がドッキング解除されており、ＰＡＮ７０の範囲内にはないが、ＬＡＮ５の範囲内にある場合に使用される通信リンク、の３つの間の遷移について、以下で更に詳細に記載する。
【００３０】
図３は、本発明の原理による、この遷移中の、図２に示した携帯式患者モニタ装置２０およびドッキングステーション１０の動作を理解するうえで有用なフローチャートである。以下の説明では、図２と図３を参照する。図３はステップ３０２で開始し、このとき携帯式患者モニタ装置２０はＰＡＮ７０の範囲内で動作していない。この状態は、例えば、携帯式患者モニタ装置２０が最初に電源投入されて、患者に取り付けられた場合、または携帯式患者モニタ装置２０がＬＡＮ５内で動作しているが、ＰＡＮ７０の範囲内で動作していない場合に発生する。ステップ３０４において、携帯式患者モニタ装置２０は、携帯式患者モニタ装置２０がドッキングステーション１０にドッキングされているかどうかを判断する。これは、前述のように負荷検知回路５３によって判断することができる。ステップ３０６において、前述のように、ＰＡＮ７０の一意な識別子が、第１の通信リンク（光リンク、磁気リンク、ＰＡＮ  ＲＦリンクまたはＲＦＩＤリンクなど）を使用して、ドッキングステーション１０から取得される。ステップ３０８において、携帯式患者モニタ装置２０は、ドッキングステーション１０を介して患者モニタプロセッサ３０とのイーサネット（登録商標）通信を確立する。データ収集ユニット５５からの患者の生理学的パラメータデータが、第１の通信リンク（例えば光リンク、磁気リンクまたはＰＡＮ  ＲＦリンク）を介して、第１の送信先（患者モニタプロセッサ３０および／または中央ロケーション５１）に供給される。
【００３１】
ステップ３１０において、携帯式患者モニタ装置２０は、自身が、まだドッキングしているかどうかを監視する。これは、負荷検知回路５３によって行われる。携帯式患者モニタ装置２０がドッキングされたままの場合、携帯式患者モニタ装置２０は、ステップ３０８で確立された第１の通信リンクを維持する。携帯式患者モニタ装置２０がドッキング解除されている場合、ＰＡＮ７０との通信が、おそらく別の通信リンクを使用して維持される。この状態は、携帯式患者モニタ装置２０がドッキングステーション１０からドッキング解除されているが、病室内に留まっている場合に発生する。この場合、ステップ３１２において、アダプティブ通信インタフェース３３はＰＡＮ  ＲＦリンク１０９，１１１がまだ有効になっていなければ、これを有効にする。この動作モードでのＰＡＮ  ＲＦリンク１０９，１１１の送信電力は、携帯式患者モニタ装置２０がドッキングステーション１０にドッキングされている場合に、ＰＡＮ  ＲＦリンク１０９，１１が使用する抑制された電力よりも実質的に高い。これにより、病室をカバーするのに十分な送信範囲が得られる。データ収集ユニット５５からの患者の生理学的パラメータデータが、ＰＡＮ  ＲＦリンク１０９，１１１上を実質的に高い電力で、ドッキングステーション１０を介して、患者モニタプロセッサ３０および／または中央ロケーション５１に伝達される。
【００３２】
一般に、携帯式患者モニタ装置２０は、携帯式患者モニタ装置２０が一意な識別子を受け取ったドッキングステーション１０が含まれるＰＡＮ７０と、携帯式患者モニタ装置２０がその範囲に留まっている限り、通信を維持しようとする。ステップ３１４において、携帯式患者モニタ装置２０のアダプティブ通信インタフェース３３は、ドッキングステーション１０との通信を監視する。携帯式患者モニタ装置２０がドッキングステーション１０の範囲に留まっている限り、ステップ３１２において、携帯式患者モニタ装置２０は、ＰＡＮ  ＲＦ通信リンク１０９，１１１を使用してドッキングステーション１０と通信する。
【００３３】
しかし、ＰＡＮ  ＲＦリンク１０９，１１１が、例えば携帯式患者モニタ装置２０がその範囲から出たことなどによって機能しなくなると、ステップ３１６において、アダプティブ通信インタフェース３３は、ＬＡＮ  ＲＦリンク１０７を有効にし、携帯式患者モニタ装置２０とＬＡＮ５間の第２の通信リンクを確立する。この動作モードでは、データ収集ユニット５５からの患者の生理学的パラメータデータが、ＬＡＮ５を介して中央ロケーション５１に供給される。上述の通り、この状態は、患者が病室から出て、病院内を、例えば手術室、診断検査室、診察室などに移される場合に発生する。
【００３４】
ＬＡＮ  ＲＦリンク１０７は、携帯式患者モニタ装置２０が、ＬＡＮ５の範囲に留まり、かつＰＡＮ７０の範囲の外にある限り維持される。個々のＰＡＮ７０内のＰＡＮ  ＲＦ通信リンクの範囲がさまざまに異なるため、病院内で患者を搬送中に、および／または患者が最終目的地に到着し、その目的地にＰＡＮ７０が含まれる場合に、携帯式患者モニタ装置２０が、ＰＡＮ  ＲＦリンクの範囲に入る。ステップ３１８において、アダプティブ通信インタフェース３３は、（ａ）携帯式患者モニタ装置２０がＰＡＮの範囲内にあること、および（ｂ）識別子ストア３４に記憶されている識別子が、現在範囲内のＰＡＮ  ＲＦリンクの識別子と一致するかどうか（すなわち、携帯式患者モニタ装置２０が以前ドッキング解除されたのと同じＰＡＮであるかどうか）を判断する。
【００３５】
携帯式患者モニタ装置２０がドッキングされない限り、アダプティブ通信インタフェース３３が、以前に受け取った一意な識別子を提供しないＰＡＮ７０との通信を確立することはない。異なるＰＡＮ７０が検出された場合、ステップ３２２において、携帯式患者モニタ装置２０のアダプティブ通信インタフェース３３は、携帯式患者モニタ装置２０がドッキングされているかどうかを監視する。携帯式患者モニタ装置２０が、新たに入ったＰＡＮ７０にドッキングされている場合、光リンク、磁気リンク、抑制された電力でのＰＡＮ  ＲＦリンク、またはＲＦＩＤリンクを使用するなどによって、携帯式患者モニタ装置２０と新しいＰＡＮ７０との間で通信が確立される。ステップ３０６において、新しいＰＡＮ７０内のドッキングステーション１０に関連付けられた一意な識別子が取得され、ステップ３０８において、確立済みの携帯式患者モニタ装置２０とドッキングステーション１０間の通信が監視される。データ収集ユニット５５からの患者の生理学的パラメータデータが、新しいＰＡＮ７０内のドッキングステーション１０を介して、患者モニタプロセッサ３０または中央ロケーション５１に送信される。
【００３６】
ステップ３１８において、患者が元の病室に戻された場合に起こりうるように、同じＰＡＮが検出された場合、ステップ３２０において、携帯式患者モニタ装置２０のアダプティブ通信インタフェース３３は、実質的に高い電力で、ＰＡＮ  ＲＦリンク１０９，１１１を有効にする。これにより、ドッキングステーション１０との第１の通信リンクが再確立される。この場合、データ収集ユニット５５からの患者の生理学的パラメータデータが、ＰＡＮ  ＲＦリンク１０９，１１１を介して、患者モニタプロセッサ３０に、またはドッキングステーション１０経由で中央ロケーション５１に送信される。ステップ３１４において、携帯式患者モニタ装置２０のアダプティブ通信インタフェース３３は、ＰＡＮ  ＲＦリンク１０９、１１１を監視して、携帯式患者モニタ装置２０が範囲から出たかどうかを検出する。
【００３７】
上記の実施形態は、利用可能な複数の通信リンク、例えば、（１）光リンク１７，１９，２１，２３、（２）磁気リンク１５，１６，２４，３９、（３）ＰＡＮ  ＲＦリンク１０９，１１１、（４）ＬＡＮ  ＲＦリンク１０７、および（５）ＲＦＩＤリンク１１３，１１５の５つのリンクを有するものとして記載した。しかし、携帯式患者モニタ装置２０とドッキングステーション１０において、異なる組合せの通信リンクを利用することが可能であることを当業者は理解する。
【００３８】
例えば、別の構成では、携帯式患者モニタ装置２０は、以下の３つのリンクを有する。（１）携帯式患者モニタ装置２０がドッキングされている場合に、携帯式患者モニタ装置２０に一意な識別子を伝達するために、ドッキングステーション１０によって使用され、かつ患者モニタプロセッサ３０に、および／またはドッキングステーション１０を介して中央ロケーション５１に、患者の生理学的パラメータデータを伝達するために、携帯式患者モニタ装置２０によって使用される短距離無線ＰＡＮリンク（例えば光リンク１７，１９，２１，２３）。（２）ドッキング解除されているが、ＰＡＮ７０内に存在する場合に、患者モニタプロセッサ３０に、および／またはドッキングステーション１０を介して中央ロケーション５１に、患者の生理学的パラメータデータを伝達するために、携帯式患者モニタ装置２０によって使用される短距離無線ＲＦ  ＰＡＮリンク１０９，１１１。（３）ドッキング解除されており、ＰＡＮ７０内に存在しない場合に、ＬＡＮ５を介して中央ロケーション５１に患者の生理学的パラメータデータを伝達するために、携帯式患者モニタ装置２０によって使用される長距離無線リンク。
【００３９】
別の例示的な構成では、以下の２つのリンクを有する。（１）携帯式患者モニタ装置２０がドッキングステーション１０の範囲内にある場合に、携帯式患者モニタ装置２０に一意な識別子を抑制された電力で伝達するために、ドッキングステーション１０によって使用され、かつ患者モニタプロセッサ３０および／または中央ロケーション５１に患者の生理学的パラメータデータを伝達するために、携帯式患者モニタ装置２０によって使用される短距離無線ＲＦ  ＰＡＮリンク１０９，１１１。（２）ドッキング解除されており、ＰＡＮ７０内に存在しない場合に、ドッキングステーション１０を介して中央ロケーション５１に患者の生理学的パラメータデータを伝達するために、携帯式患者モニタ装置２０によって使用される長距離無線リンク。
【００４０】
別の例示的な構成は、携帯式患者モニタ装置２０とドッキングステーション１０間で通信するための無線リンクの１つのリンクを有する。つまり、第１の無線通信リンクと第２の無線通信リンクは同じリンクであり、異なる第１の通信モードと第２の通信モードで使用される。この場合は、１つのリンクが、２つの異なる動作モードで機能する。例えば、Ｂｌｕｅｔｏｏｔｈ（登録商標）  ＲＦリンクは、携帯式患者モニタ装置２０がＰＡＮ７０内のドッキングステーション１０と通信している場合には超低電力モードで動作し、ＬＡＮ５と直接通信する場合には高電力モードで動作する。別法では、この１つのリンクはＷｉＦｉ（８０２．１１標準）通信リンクであり、ＰＡＮ７０内のドッキングステーション１０と通信する場合には「アドホック」モードで動作し、ＬＡＮ５と直接通信する場合には「ステーション」モードで動作する。
【００４１】
このようにして、携帯式患者モニタ装置２０のアダプティブ通信インタフェース３３は、自動的に、かつユーザによる介入なしに、ＰＡＮ７０内の患者モニタプロセッサ３０と、および／またはＬＡＮ５を介して中央ロケーション５１と、継続的な通信を維持することができる。携帯式患者モニタ装置２０のアダプティブ通信インタフェース３３は、ひとたび特定のＰＡＮ７０に関連付けられると、そのＰＡＮ７０に関連付けられた一意な識別子を受け取って、これを使用することにより、携帯式患者モニタ装置２０がＰＡＮ７０の範囲内に留まっている限り、そのＰＡＮ７０を介して通信する。そうでない場合には、ＬＡＮ５と通信する。
【図面の簡単な説明】
【００４２】
【図１】図１は、携帯式患者モニタと病院の中央ロケーション間の個々の通信チャネルのブロック図である。
【図２】図２は、本発明の原理による携帯式患者モニタ装置およびドッキングステーションのブロック図である。
【図３】図３は、本発明の原理による、図２に示した携帯式患者モニタ装置およびドッキングステーションの動作を理解するうえで有用なフローチャートである。
【符号の説明】
【００４３】
１０  ドッキングステーション
２０  携帯式患者モニタ装置
３０  患者モニタプロセッサ
４０  患者データリポジトリ
５０  患者診療記録
５１  中央ロケーション
６０  患者監視システム
７０  患者エリアネットワーク（ＰＡＮ）
８０  アクセスポイント
【図１】
2008519494.tif 000003
【図２】
2008519494.tif 000004
【図３】
2008519494.tif 000005
【国際調査報告】
2008519494.tif 000006
2008519494.tif 000007
2008519494.tif 000008